(57)【要約】  本発明はコンテンツディスクプレーヤーを利用して対話形コンテンツ情報を再生する方法に関する。本方法は、コンテンツディスクプレーヤーが再生することができる記録媒体に記録された第１コンテンツ情報の再生時間情報を得る段階と；通信網を介して前記コンテンツディスクプレーヤーと通信をするコンテンツサーバーに前記再生時間情報を伝送する段階と；前記コンテンツサーバーから前記第１コンテンツ情報に対応する第２コンテンツ情報を受信する段階と；前記再生時間情報に基づいて、前記第１コンテンツ情報と共に前記第２コンテンツ情報を再生する段階とを含む。
2005530294.tif 000002
【特許請求の範囲】
【請求項１】
コンテンツ媒体プレーヤーを利用して対話形コンテンツ情報を再生する方法において、
前記コンテンツ媒体プレーヤーが再生することができる記録媒体に記録された第１コンテンツ情報の再生時間情報を得る段階と；
通信網を介して前記コンテンツ媒体プレーヤーと通信をするコンテンツサーバーに前記再生時間情報を伝送する段階と；
前記コンテンツサーバーから前記第１コンテンツ情報に対応する第２コンテンツ情報を受信する段階と；
前記再生時間情報に基づいて、前記第１コンテンツ情報と共に前記第２コンテンツ情報を再生する段階とを
含むことを特徴とする方法。
【請求項２】
前記再生時間情報は前記第１コンテンツ情報の再生スタート時間を指示するプレゼンテーションタイムスタンプであることを特徴とする請求項１記載の方法。
【請求項３】
前記再生時間情報は前記第１コンテンツ情報の再生スタート時間より所定時間前であるプレゼンテーションタイムスタンプであることを特徴とする請求項１記載の方法。
【請求項４】
前記所定時間は前記コンテンツサーバーから前記第２コンテンツ情報を受信するのに必要な時間と一致することを特徴とする請求項３記載の方法。
【請求項５】
前記第２コンテンツ情報は前記第１コンテンツ情報と関連した広告情報で構成されることを特徴とする請求項１記載の方法。
【請求項６】
前記第２コンテンツ情報は前記コンテンツサーバーから所定時間間隔で受信されることを特徴とする請求項１記載の方法。
【請求項７】
前記第２コンテンツ情報は前記第１コンテンツ情報と関連した再生時間情報によってリアルタイムで前記コンテンツサーバーから受信されることを特徴とする請求項１記載の方法。
【請求項８】
通信網に連結された少なくとも一つ以上のコンテンツ媒体プレーヤーと通信するコンテンツサーバーのコンテンツ情報再生方法において、
コンテンツ媒体プレーヤーから受信される、第１コンテンツ情報に対する再生時間を決定する段階と；
前記第１コンテンツ情報と関連する第２コンテンツ情報を検索する段階と；
前記第１コンテンツ情報と連係して再生することができるように前記第２コンテンツ情報を前記コンテンツ媒体プレーヤーに伝送する段階と
を含むことを特徴とする方法。
【請求項９】
前記再生時間を決定する段階は、前記第１コンテンツ情報の再生が始まる時間を指示するプレゼンテーションタイムスタンプ（ＰＴＳ）を前記コンテンツ媒体プレーヤーから受信する段階をさらに含むことを特徴とする請求項８記載の方法。
【請求項１０】
前記第１コンテンツ情報は前記コンテンツ媒体プレーヤーが読み取ることができる記録媒体に記録されたオーディオ／ビデオ（Ａ／Ｖ）データで構成されることを特徴とする請求項９記載の方法。
【請求項１１】
通信網を介してコンテンツサーバーに連結されたコンテンツ媒体プレーヤーを利用して媒体コンテンツ情報を再生するシステムにおいて、
前記コンテンツ媒体プレーヤーにより再生される媒体コンテンツと関連した補助コンテンツの位置に関するアクセス情報を含むデータベースに前記通信網を通してアクセスする手段と；
前記補助コンテンツが前記媒体コンテンツと共に再生できるように前記補助コンテンツを前記コンテンツ媒体プレーヤーに伝送する手段とを含み、
前記アクセス情報が、前記媒体コンテンツを含む記録媒体と関連したコンテンツバージョンまたはディスクＩＤのうち少なくともいずれか一つに基づいて得られることを特徴とするシステム。
【請求項１２】
前記補助コンテンツは前記コンテンツサーバーに格納されることを特徴とする請求項１１記載のシステム。
【請求項１３】
前記アクセス情報は前記コンテンツサーバーを識別するＵＲＬで構成されることを特徴とする請求項１２記載のシステム。
【請求項１４】
前記コンテンツサーバーが前記データベースに含まれた該当情報に基づいて前記媒体コンテンツと関連した補助コンテンツを決定することができるように、前記コンテンツバージョンまたはディスクＩＤのうち少なくともいずれか一つが前記コンテンツ媒体プレーヤーから前記コンテンツサーバーに伝送されることを特徴とする請求項１１記載のシステム。
【請求項１５】
前記データベースは複数のディスクＩＤとコンテンツバージョンが相互に連係していて、コンテンツバージョンに連係した各ディスクＩＤは各コンテンツバージョンに対する補助コンテンツに対応することを特徴とする請求項１４記載のシステム。
【請求項１６】
前記記録媒体に記録されたプレゼンテーションタイムスタンプを前記コンテンツサーバーに伝送する手段をさらに含むことを特徴とする請求項１１記載のシステム。
【請求項１７】
前記プレゼンテーションタイムスタンプは前記コンテンツ媒体プレーヤーが前記媒体コンテンツの再生を始める時間を指示することを特徴とする請求項１６記載のシステム。
【請求項１８】
前記プレゼンテーションタイムスタンプは、前記媒体コンテンツ再生が始まる時間より前記補助データをダウンロードするのに必要な大体の時間だけ前の時間を指示することを特徴とする請求項１６記載のシステム。
【請求項１９】
前記プレゼンテーションタイムスタンプは通信パケットのヘッダーに含まれた状態で伝送されることを特徴とする請求項１６記載のシステム。
【請求項２０】
前記媒体コンテンツはオーディオ／ビデオ（Ａ／Ｖ）データであることを特徴とする請求項１１記載のシステム。
【請求項２１】
媒体コンテンツを再生するためのコンテンツ媒体プレーヤーシステムにおいて、
コンテンツ媒体プレーヤーが読み取ることができる記録媒体に記録された前記媒体コンテンツと関連した補助コンテンツを含むコンテンツサーバーにアクセスする手段と；
前記コンテンツサーバーから前記補助コンテンツを検索するための識別情報を伝送する手段と；
前記コンテンツサーバーから前記補助コンテンツを受信する手段と；
プレゼンテーションタイムスタンプによって前記媒体コンテンツと共に前記補助コンテンツを再生する手段とを
含むことを特徴とするシステム。
【請求項２２】
前記媒体コンテンツの再生を始める時間より前に前記補助コンテンツをタイムリーに受信することができるように、前記コンテンツサーバーに前記プレゼンテーションタイムスタンプを伝送する手段をさらに含むことを特徴とする請求項２１記載のシステム。
【請求項２３】
コンテンツ媒体プレーヤーが読み取ることができる記録媒体に記録された媒体コンテンツを再生するためにコンテンツサーバーに記録された補助コンテンツを提供するコンテンツサーバーシステムにおいて、
通信網を介して前記コンテンツ媒体プレーヤーから前記補助コンテンツと関連した識別情報を受信する手段と；
前記補助コンテンツを前記コンテンツ媒体プレーヤーに伝送する手段とを含み、
前記コンテンツ媒体プレーヤーはプレゼンテーションタイムスタンプによって前記媒体コンテンツと共に前記補助コンテンツを再生することを特徴とするシステム。
【請求項２４】
前記コンテンツ媒体プレーヤーが前記媒体コンテンツの再生を始める時間を指示する前記プレゼンテーションタイムスタンプを前記コンテンツ媒体プレーヤーから受信する手段と；
前記コンテンツ媒体プレーヤーが前記媒体コンテンツと共に前記補助コンテンツの再生を始めることができるように、前記補助コンテンツを前記コンテンツ媒体プレーヤーにタイムリーに伝送する手段とをさらに含むことを特徴とする請求項２３記載のシステム。
【請求項２５】
前記媒体コンテンツはＡ／Ｖデータであることを特徴とする請求項２４記載のシステム。
【請求項２６】
前記補助コンテンツはＡ／Ｖデータと関連した広告物であることを特徴とする請求項２４記載のシステム。
【発明の詳細な説明】
【技術分野】
【０００１】
本発明は対話形ＤＶＤ（Ｉ−ＤＶＤ：Ｉｎｔｅｒａｃｔｉｖｅ  Ｄｉｇｉｔａｌ  Ｖｅｒｓａｔｉｌｅ  Ｄｉｓｃ）プレーヤーを利用してコンテンツ情報を再生する方法とＩ−ＤＶＤのような光ディスクに記録されたＡ／Ｖデータと関連した多様なコンテンツ情報を再生することができるようにコンテンツ情報を提供する方法に関する。
【背景技術】
【０００２】
ＤＶＤのような高密度光ディスクは大容量のデジタルデータを記録することができる。ＤＶＤのこの記録容量によれば相対的に長い時間の高画質の動映像データと高音質のオーディオデータを十分に記録することができる。
【０００３】
ＤＶＤには二つの記録領域があり、一つにはＡ／Ｖデータのような実際のデータが記録され、他の一つにはその記録された実際のデータの再生を制御するために使われる制御すなわちナビゲーションデータが記録される。ＤＶＤをＤＶＤプレーヤーに装着すると、先にナビゲーションデータが読み出されてメモリーに格納され、その後、ナビゲーションデータに含まれている命令または制御情報を参照して実際のＡ／Ｖデータが再生される。そのようにして、ユーザーはＤＶＤプレーヤーによってＤＶＤに記録された高画質の動映像を視聴することができる。
【０００４】
最近、対話形またはエンハンストナビゲーション（Ｉ−ＤＶＤまたはＥＮＡＶ）システムが提案されている。コンテンツディスク（例えば、Ｉ−ＤＶＤまたはＥＮＡＶディスク）のような対話形コンテンツ媒体は‘ｈｔｍｌ’または‘ｘｍｌ’ファイル形式の制御データ、ナビゲーションデータ、Ａ／Ｖデータを含んでいる。Ｉ−ＤＶＤまたはＥＮＡＶプレーヤーのような対話形再生装置はこの対話形コンテンツディスクに記録された制御データやナビゲーションデータによってＡ／Ｖデータを再生することができる。
【０００５】
本明細書においては、用語‘Ｉ−ＤＶＤ’と‘ＥＮＡＶ’は対話形またはエンハンストナビゲーションシステムを指す用語として相互に取り替え可能な用語である。以下では、‘Ｉ−ＤＶＤ’が使用される。
【０００６】
一般的に、高容量のデジタルデータを記録することができるＤＶＤのような高密度光ディスクが広く普及している。ＤＶＤは高画質ビデオデータと高音質オーディオデータを長時間記録することができる大容量記録媒体として商用化されている。
【０００７】
このＤＶＤも、ビデオデータの再生を制御するためのナビゲーションデータが記録されるナビゲーションデータ記録領域とビデオデータのようなデジタルデータストリームが記録されるデータストリーム記録領域を含んでいる。
【０００８】
一般的なＤＶＤプレーヤーは、ＤＶＤが挿入されると、ナビゲーション記録領域に記録されたナビゲーションデータを読み出して装置内のメモリーに格納し、そのナビゲーションデータを利用してデータストリーム記録領域に記録されたビデオデータを読み出して再生するＤＶＤ再生動作を遂行する。したがって、ＤＶＤプレーヤーを有するユーザーはＤＶＤに記録された長時間の高画質ビデオデータを視聴することができ、かつＤＶＤに提供された多様な機能を選択することができる。
【０００９】
最近、ＨＴＭＬファイルのようにＤＶＤから読み出して再生されるＡ／Ｖデータに関連したコンテンツ情報をＡ／Ｖデータと共に記録して、ユーザーとのインターフェースを介してコンテンツ情報を読み出して再生するＩ−ＤＶＤを具体化する方案が関連業者の間で論議されている。このようなＩ−ＤＶＤが商用化されれば、Ａ／Ｖデータと関連した詳細な情報をユーザーがさらに容易にサーチできるようになると期待されている。
【００１０】
しかし、Ａ／Ｖデータと、それに関連した多様なコンテンツ情報であってコンテンツサーバーを介して提供を受けることができる情報を共に再生することができる方案がまだ用意されておらず、その解決策が至急に要求されているのが実情である。
【発明の開示】
【発明が解決しようとする課題】
【００１１】
本発明は前記のような実情と問題点を勘案して創作されたものであって、本発明の目的は、Ｉ−ＤＶＤプレーヤーとコンテンツサーバー間のインターフェースを介して多様なコンテンツ情報を送受信して再生することができる方法を提供することである。
【課題を解決するための手段】
【００１２】
本発明の一実施態様は、Ｉ−ＤＶＤプレーヤーを利用して対話形コンテンツ情報を再生する方法であって、Ｉ−ＤＶＤプレーヤーが再生することができる記録媒体に記録された第１コンテンツ情報の再生時間情報を得る段階と；通信網を介して前記Ｉ−ＤＶＤプレーヤーと通信をするコンテンツサーバーに前記再生時間情報を伝送する段階と；前記コンテンツサーバーから前記第１コンテンツ情報に対応する第２コンテンツ情報を受信する段階と；前記再生時間情報に基づいて、前記第１コンテンツ情報と共に前記第２コンテンツ情報を再生する段階とを含むことを特徴とする。
【００１３】
前記再生時間情報は前記第１コンテンツ情報の再生スタート時間を指示するプレゼンテーションタイムスタンプである。一部の実施態様では、前記再生時間情報は前記第１コンテンツ情報の再生スタート時間より所定時間前のプレゼンテーションタイムスタンプであって、前記所定時間は前記コンテンツサーバーから前記第２コンテンツ情報を受信するのに必要な時間とほぼ一致する。
【００１４】
一実施態様では前記第２コンテンツ情報は前記第１コンテンツ情報と関連した広告情報で構成されている。この第２コンテンツ情報は、前記コンテンツサーバーから所定時間間隔で受信される。或いは、第２コンテンツ情報は、前記第１コンテンツ情報と関連した再生時間情報によってリアルタイムで前記コンテンツサーバーから受信される。
【００１５】
本発明の他の実施態様は、通信網に連結された少なくとも一つ以上のＩ−ＤＶＤプレーヤーと通信するコンテンツサーバーのコンテンツ情報再生方法であって、Ｉ−ＤＶＤプレーヤーから受信される、第１コンテンツ情報に対する再生時間を決定する段階と；前記第１コンテンツ情報と関連する第２コンテンツ情報を検索する段階と；前記第１コンテンツ情報と連係して再生することができるように前記第２コンテンツ情報を前記Ｉ−ＤＶＤプレーヤーに伝送する段階とを含むことを特徴とする。
【００１６】
前記再生時間を決定する段階は、第１コンテンツ情報の再生が始まる時間を指示するプレゼンテーションタイムスタンプ（ＰＴＳ）を前記Ｉ−ＤＶＤプレーヤーから受信する段階を含む。前記第１コンテンツ情報は前記Ｉ−ＤＶＤプレーヤーが読み取ることができる記録媒体に記録されたオーディオ／ビデオ（Ａ／Ｖ）データで構成されている。
【００１７】
本発明のさらに他の実施態様は、通信網を介してコンテンツサーバーに連結されたＩ−ＤＶＤプレーヤーを利用して媒体コンテンツ情報を再生するシステムであって、前記Ｉ−ＤＶＤプレーヤーにより再生される媒体コンテンツと関連した補助コンテンツの位置に関するアクセス情報を含むデータベースに前記通信網を通じてアクセスする手段と；前記補助コンテンツが前記媒体コンテンツと共に再生されるように前記補助コンテンツを前記Ｉ−ＤＶＤプレーヤーに伝送する手段とを含み、前記アクセス情報は、前記媒体コンテンツを含む記録媒体と関連したコンテンツバージョンまたはディスクＩＤの少なくともいずれか一つに基づいて得られることを特徴とする。
【００１８】
一実施態様では前記補助コンテンツは前記コンテンツサーバーに格納され、前記アクセス情報は前記コンテンツサーバーを識別する、例えばＵｎｉｖｅｒｓａｌ  Ｒｅｓｏｕｒｃｅ  Ｌｏｃａｔｏｒ（ＵＲＬ）である。いくつかの実施態様では、前記データベースに含まれた対応する情報に基づいて前記媒体コンテンツと関連した補助コンテンツを前記コンテンツサーバーが決定することができるように、前記コンテンツバージョンまたはディスクＩＤのうち少なくともいずれか一つが前記Ｉ−ＤＶＤプレーヤーから前記コンテンツサーバーに伝送される。
【００１９】
ある実施態様では、前記データベースが複数のディスクＩＤとコンテンツバージョンが相互に連係していて、コンテンツバージョンに連係した各ディスクＩＤが各コンテンツバージョンに対する補助コンテンツに対応する。また、前記システムは、前記記録媒体に記録されたプレゼンテーションタイムスタンプを前記コンテンツサーバーに伝送する手段を含む。
【００２０】
前記プレゼンテーションタイムスタンプは、前記Ｉ−ＤＶＤプレーヤーが前記媒体コンテンツの再生を始める大体の時間を指示するか、または前記媒体コンテンツ再生が始まる時間より前記補助データをダウンロードするのに必要な大体の時間だけ前の時間を指示する。前記プレゼンテーションタイムスタンプは通信パケットのヘッダーに含まれた状態で伝送される。
【００２１】
本発明のさらに他の実施態様は、媒体コンテンツを再生するためのＩ−ＤＶＤプレーヤーシステムであって、あるＩ−ＤＶＤプレーヤーが読み取れる記録媒体に記録された前記媒体コンテンツと関連した補助コンテンツを含むコンテンツサーバーにアクセスする手段と；前記コンテンツサーバーから前記補助コンテンツを検索するための識別情報を伝送する手段と；前記コンテンツサーバーから前記補助コンテンツを受信する手段と；プレゼンテーションタイムスタンプによって前記媒体コンテンツと共に前記補助コンテンツを再生する手段とを含むことを特徴とする。本システムは、前記媒体コンテンツの再生を始める時間の前に前記補助コンテンツをタイムリーに受信することができるように、前記コンテンツサーバーに前記プレゼンテーションタイムスタンプを伝送する手段をさらに含むことを特徴とする。
【００２２】
本発明のさらに他の実施態様は、Ｉ−ＤＶＤプレーヤーが読み取れる記録媒体に記録された媒体コンテンツを再生するためにコンテンツサーバーに記録された補助コンテンツを提供するコンテンツサーバーシステムであって、通信網を介して前記Ｉ−ＤＶＤプレーヤーから前記補助コンテンツと関連した識別情報を受信する手段と；前記補助コンテンツを前記Ｉ−ＤＶＤプレーヤーに伝送する手段とを含み、前記Ｉ−ＤＶＤプレーヤーはプレゼンテーションタイムスタンプによって前記媒体コンテンツと共に前記補助コンテンツを再生することを特徴とする。
【００２３】
本システムは、前記Ｉ−ＤＶＤプレーヤーが前記媒体コンテンツの再生を始める時間を指示する前記プレゼンテーションタイムスタンプを前記Ｉ−ＤＶＤプレーヤーから受信する手段と；前記Ｉ−ＤＶＤプレーヤーが前記媒体コンテンツと共に前記補助コンテンツの再生を始めることができるように、前記補助コンテンツを前記Ｉ−ＤＶＤプレーヤーにタイムリーに伝送する手段とを含むことを特徴とする。
【発明を実施するための最良の形態】
【００２４】
図１を参照する。本発明の一実施形態によるシステムはコンテンツディスク１０に記録されたＡ／Ｖデータを再生する。Ａ／ＶデータはＤＶＤビデオデータ、イメージデータ、オーディオデータ、テキスト、その他の形態の情報として構成されている。コンテンツディスク１０は、Ａ／Ｖデータに加えて、エンハンストナビゲーション（ＥＮＡＶ）または制御データをさらに含む。ＥＮＡＶまたは制御データは、Ａ／Ｖデータを再生する方法に関する指示または前記Ａ／Ｖデータとともに再生される付加情報をＥＮＡＶプレーヤーまたはＩ−ＤＶＤプレーヤーのような対話形再生装置に提供する。
【００２５】
ＥＮＡＶとＩ−ＤＶＤは相互に取り替えることができる用語で、対話形ＤＶＤシステムを指す。単純で効率性のために、本発明のシステムは‘Ｉ−ＤＶＤ’ディスクまたは‘Ｉ−ＤＶＤ’プレーヤーとして表現される。しかし、これは例のためであって、本発明を記載された特定の実施形態に限定すると解釈されてはならない。すなわち、他の記録媒体またはプレーヤーも本発明の範囲に属することができる。
【００２６】
本発明の実施形態によるＩ−ＤＶＤプレーヤーはＤＶＤ再生エンジンとエンハンストナビゲーションまたは対話形（Ｉ−ＤＶＤ）再生エンジンを含む。ＤＶＤ再生エンジンは、Ｉ−ＤＶＤディスクに記録されたエンハンストナビゲーションデータによって、Ｉ−ＤＶＤ再生エンジンと連係してＩ−ＤＶＤディスクに記録されたＡ／Ｖデータを再生する。
【００２７】
本発明の実施形態で、前記システムのＩ−ＤＶＤエンジンはファイルシステム１１、ウェブブラウザ１２、インターフェース１３、ナビゲーター１４、格納部１５、デコーダー１６、プレゼンテーションエンジン１７、制御器（図示せず）を備えている。ウェブブラウザ１２とインターフェース１３は、Ｉ−ＤＶＤプレーヤーをインターネットのような通信網に連結するネットワーク管理サービスを提供し、かつエンハンストユーザーインターフェースを支援してユーザーとシステムの相互作用を処理する。ファイルシステム１１とナビゲーター１４は、デコーディングのためにディスク１０から読み出すデジタルデータを共同してロードし、調査し、解析する。制御器は、エンハンストナビゲーションデータを処理すると共にＤＶＤエンジンとＩ−ＤＶＤエンジンと間のインターフェースを処理して、ユーザーの要求によってシステムの構成要素を制御する。
【００２８】
デコーダ１６は、ディスク１０から読み出すデジタルデータをデコーディングする。プレゼンテーションエンジン１７は、Ａ／Ｖ出力をディスプレー端末に提供するためにデコーディングされたＡ／Ｖデータを処理する。ファイルシステム１１は、ディスク情報ファイル、セットアップファイル、同期データファイルのような記録されたファイルをサーチして読み出すファイル管理を遂行する。ウェブブラウザ１２は、ウェブサーフィン機能を含み、Ａ／Ｖデータの再生のためのプレゼンテーション環境を設定することができる。
【００２９】
格納部１５は、ディスク１０からアップロードしたファイルまたはシステムが連結された通信網からダウンロードしたファイルを格納するためのフラッシュメモリーまたはハードドライブのようなデータ記憶媒体である。格納部１５は、情報を一時的に格納するためのキャッシュメモリーまたはバッファーでも良く、さらにはＲＡＭ、ＲＯＭ、ＥＥＰＲＯＭ、ハードディスク、その他の格納媒体でも良い。
【００３０】
ナビゲーター１４、ファイルシステム１１、ウェブブラウザー１２は、論理的機能単位を表現したもので、ソフトウェア、ハードウェア、またはそれらの結合の形態で実装できる。実施形態で、図１に示した論理的機能単位または要素の一部または全体を、ＦＰＧＡ（Ｆｉｅｌｄ  Ｐｒｏｇｒａｍｍａｂｌｅ  Ｇａｔｅ  Ａｒｒａｙ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のような一つまたはそれ以上のチップとして実装してもよい。
【００３１】
図２に示したように、本発明の実施形態によれば、一つまたはそれ以上のデータ及び／または制御ファイルがＩ−ＤＶＤディスクのルートディレクトリの下に存在するか実装される。図２に示したように、ＤＶＤ_ＥＮＡＶまたはＥＮＡＶ_ＴＳのようなＤＶＤエンハンストナビゲーションディレクトリがルートディレクトリの下にある。エンハンストナビゲーションまたは他の制御情報を含んだファイルとエンハンストナビゲーションコンテンツファイルがＤＶＤエンハンストナビゲーションディレクトリの下に置かれる。このようなファイルには、例えばｈｔｍｌ、ｘｍｌ、Ａ／Ｖコンテンツが含まれる。
【００３２】
本発明の実施形態においては、例えば、第１ファイル‘ＥｎＤＶＤ．Ｉｎｆ’はＩ−ＤＶＤディスク１０に格納されたＡ／Ｖデータの再生のための情報で、第２ファイル‘Ｉｎｄｅｘ．ｈｔｍｌ’はＡ／Ｖデータ再生のための初期セットアップと関連した情報で、第３ファイル‘Ｉｎｄｅｘ．ｓｙｎ’はＡ／Ｖデータと通信網またはユーザーを介して提供する付加データ間の同期のための時間情報である。
【００３３】
本発明の実施形態では、ルートディレクトリの下に、他のサブディレクトリを実装している。例えば、‘ＶＩＤＥＯ_ＴＳ’ディレクトリはビデオデータファイルで、‘ＡＵＤＩＯ_ＴＳ’ディレクトリはオーディオデータファイルである。、次の‘ＥＮＡＶ_ＴＳ’ディレクトリは‘ｈｔｍｌ’ファイル、‘ｘｍｌ’ファイル、イメージファイル、ビデオ及びオーディオファイルのような付加コンテンツファイルを含む。
【００３４】
一実施形態で、ルートディレクトリの下の‘ＥｎＤＶＤ．Ｉｎｆ’ファイルはディスクバージョン、コンテンツバージョン、コンテンツ製作者、または遠隔コンテンツプロバイダにアクセスするためのＵＲＬのような参照アドレスを含む。遠隔コンテンツプロバイダは同一の通信網に連結された他のユーザーが提供する多くのコンテンツやコンテンツと関係された情報を提供したり、または所定の期間に再生されるＡ／Ｖデータに対する新しい更新情報を提供する。
【００３５】
ルートディレクトリの下のセットアップファイル‘Ｉｎｄｅｘ．ｈｔｍｌ’は、例えば、ウェブブラウザ１２に対する環境セットアップ情報とＩ−ＤＶＤディスク１０に記録されたコンテンツの再生に対する制御またはナビゲーション情報を含む。‘Ｉｎｄｅｘ．ｓｙｎ’ファイルは、例えば、Ｉ−ＤＶＤディスク１０から読み出すＡ／Ｖデータと遠隔コンテンツプロバイダからダウンロードされた他のコンテンツを同期化するタイムスタンプデータを含む。
【００３６】
本発明の実施形態における‘ＥＮＡＶ_ＴＳ’ディレクトリはＡ／Ｖデータと同期して再生または出力される付加コンテンツを含む。遠隔コンテンツプロバイダから提供する付加コンテンツも‘ＥＮＡＶ_ＴＳ’ディレクトリの下に格納することができる。付加コンテンツはｈｔｍｌまたはｘｍｌファイル、イメージファイル、サウンドファイル、ビデオファイルとすることができる。ここに示した、Ａ／Ｖとエンハンストナビゲーションデータとに関連したファイル、ディレクトリ名前、特定のデータ構造は例示のためのものである。したがって、これらは本発明の範囲を制限しない。同様な方式で実施して本発明の目的を達成するために、他の名前さらには他のまたは同等のディレクトリ構造やフォーマットを使用することができる。
【００３７】
図３に示したように、コンテンツサーバー３００は例えばインターネットを介して複数のＩ−ＤＶＤプレーヤー（１００1〜１００k）に連結されている。コンテンツサーバー３００はデータベースまたは他のデータ構造で格納されたコンテンツ情報を含む。データベースには、例えば、一つ以上のディスクＩＤ（Ｄｉｓｃ  Ｉｄ）、一つ以上のコンテンツバージョン情報、各コンテンツバージョン情報と関連した少なくとも一つ以上のコンテンツ情報が含まれている。
【００３８】
コンテンツサーバー３００は例えばインターネットを介して連結されたＩ−ＤＶＤプレーヤー（１００k）にネットワークインターフェースを介して多様なコンテンツ情報を伝送できる。新しいコンテンツ情報の提供を受ければ、ユーザーはＩ−ＤＶＤプレーヤー（１００k）に装着されたＩ−ＤＶＤに記録されたＡ／Ｖデータと共にその情報を選択的に再生することができる。Ｉ−ＤＶＤプレーヤー（１００k）はＩ−ＤＶＤに記録されたＵＲＬのようなアクセス情報をサーチして、コンテンツサーバー３００にアクセスするための遠隔アクセス動作を実施する（Ｓ１０）。例えば、インターネットを通してアクセスできるコンテンツサーバーに格納されたコンテンツ情報へのアクセスを要求するためにＵＲＬアドレスが提供される。
【００３９】
Ｉ−ＤＶＤプレーヤー（１００k）はＩ−ＤＶＤを識別することができるディスクＩＤとＩ−ＤＶＤのコンテンツバージョン情報をコンテンツサーバー３００に伝送する一連の初期動作を実施する（Ｓ１１）。その後、Ｉ−ＤＶＤプレーヤー（１００k）は、Ａ／Ｖデータのプレゼンテーション開始時間を指示するプレゼンテーションタイムスタンプ（ＰＴＳ）を伝送し、再生時間情報と関連したコンテンツ情報の伝送に対する要求を伝送する（Ｓ１２）。時間情報は、例えば図６に示したように、Ｉ−ＤＶＤに格納されたＰＥＳ（Ｐａｃｋｅｔｉｚｅｄ  Ｅｌｅｍｅｎｔａｒｙ  Ｓｔｒｅａｍ）のヘッダーフィールドに含まれる。
【００４０】
ＰＴＳはアクセスされた資源のＡ／Ｖデータ再生と関連した時間情報である。ピクチュア開始コード（ＰＣＳ：Ｐｉｃｔｕｒｅ  Ｓｔａｒｔ  Ｃｏｄｅ）は該当ＰＥＳパケットのペイロード内に記録される。前記要求を受信したコンテンツサーバー３００はＩ−ＤＶＤプレーヤーから伝送したディスクＩＤとコンテンツバージョン情報に基づいてＩ−ＤＶＤプレーヤーの要求と関連したコンテンツ情報をサーチする。
【００４１】
コンテンツサーバー３００は、Ｉ−ＤＶＤプレーヤー（１００k）から送られたＩ−ＤＶＤのＰＴＳ情報を参照して再生時間情報であるＰＴＳ情報と関連したコンテンツ情報を読み出して、要求したＩ−ＤＶＤプレーヤーにそれを伝送する一連の動作を実施する。
【００４２】
ＰＴＳ情報と関連した新しいコンテンツ情報を受信したＩ−ＤＶＤプレーヤーはＡ／ＶデータとＩ−ＤＶＤのコンテンツ情報を共に再生する。そのコンテンツ情報には、例えばＩ−ＤＶＤの内容と関連した多様な商品または広告情報に該当するビデオまたはオーディオデータが含まれている。コンテンツ情報をコンテンツサーバーからＩ−ＤＶＤプレーヤーにダウンロードするのに必要とする時間を考慮して、ＰＴＳ情報をＡ／Ｖデータが実際に再生される時間より前の時間に設定することができる。
【００４３】
また、コンテンツ情報に対する伝送要求を、所定時間間隔で反復的に伝送するか、またはＡ／Ｖデータの再生によってリアルタイムで伝送することができる。また、コンテンツサーバー３００を運用するコンテンツプロバイダはＡ／Ｖデータと共に製品情報または広告を提供することができる。このようなＩ−ＤＶＤプレーヤーでのコンテンツ情報再生方法によって、Ｉ−ＤＶＤプレーヤーを有するユーザーはＡ／Ｖデータと共に多様なコンテンツ情報を視聴することができる。
【００４４】
以上、前述した本発明の望ましい実施形態は例示の目的のために開示されたものであって、当業者ならば添付された特許請求範囲に開示された本発明の技術的思想とその技術的範囲内で多様な他の実施形態を改良、変更、代替または付加などが可能である。
【図面の簡単な説明】
【００４５】
【図１】本発明によるＩ−ＤＶＤプレーヤーを示したものである。
【図２】本発明によるＩ−ＤＶＤのディレクトリ構造を概略的に示したのである。
【図３】本発明によって複数のＩ−ＤＶＤプレーヤーがコンテンツサーバーに連結された状態を示したものである。
【図４】コンテンツサーバーのデータベースに格納されるコンテンツ情報テーブルの本発明の一実施形態を示したものである。
【図５】本発明によってＩ−ＤＶＤプレーヤーとコンテンツサーバー間にコンテンツ情報を送受信する過程を示したものである。
【図６】図６はプレゼンテーションタイムスタンプとして構成された通信パケットに対する本発明の一実施形態を示したものである。
【図１】
2005530294.tif 000003
【図２】
2005530294.tif 000004
【図３】
2005530294.tif 000005
【図４】
2005530294.tif 000006
【図５】
2005530294.tif 000007
【図６】
2005530294.tif 000008
【国際調査報告】
2005530294.tif 000009